(57)【要約】【課題】受け側コネクタの電気的接触部と挿入側コネクタの電気的接触部が確実に良好な接触状態で接触するように挿入側コネクタを受け側コネクタに挿入することができ、その状態を維持することができるコネクタ挿入機構を提供する。【解決手段】受け側コネクタが搭載された基板が基材に接近するときに挿入側コネクタを押すことにより前記受け側コネクタに前記挿入側コネクタを挿入する挿入用部材と、  少なくとも前記挿入側コネクタが前記挿入用部材により押されることにより前記受け側コネクタに挿入される時に前記基板が前記基材に接近する方向が前記受け側コネクタに対する前記挿入側コネクタの挿入方向のベクトル成分を持たないように前記基板を規制する規制手段と、を備える。【選択図】図１
2020027727.tif 000002
【特許請求の範囲】
【請求項１】
受け側コネクタが搭載された基板が基材に接近するときに挿入側コネクタを押すことにより前記受け側コネクタに前記挿入側コネクタを挿入する挿入用部材と、
少なくとも前記挿入側コネクタが前記挿入用部材により押されることにより前記受け側コネクタに挿入される時に前記基板が前記基材に接近する方向が前記受け側コネクタに対する前記挿入側コネクタの挿入方向のベクトル成分を持たないように前記基板を規制する規制手段と、
を備えることを特徴とするコネクタ挿入機構。
【請求項２】
請求項１に記載のコネクタ挿入機構であって、
前記挿入用部材は、前記受け側コネクタが搭載された前記基板が前記基材に接近するときに前記基板に押されることにより回転し、この回転により前記挿入側コネクタを押すことにより前記受け側コネクタに前記挿入側コネクタを挿入することを特徴とするコネクタ挿入機構。
【請求項３】
請求項２に記載のコネクタ挿入機構であって、
前記挿入用部材は、
前記基材に接近する前記基板により押される受け部と、
前記挿入側コネクタを押すための挿入補助部と、
を備えることを特徴とするコネクタ挿入機構。
【請求項４】
請求項２又は３に記載のコネクタ挿入機構であって、
前記挿入用部材は、前記挿入側コネクタの挿入方向に対して平行でなく、且つ、前記基板の近接方向に対して平行でない回転軸について回転することを特徴とするコネクタ挿入機構。
【請求項５】
請求項２乃至４の何れか１項に記載のコネクタ挿入機構であって、
到達位置まで到達した前記基板が、前記基板から離れないようにする規制手段を更に備えることを特徴とするコネクタ挿入機構。
【請求項６】
請求項２乃至５の何れか１項に記載のコネクタ挿入機構であって、
前記基板が前記基材に接近するときに前記基板に押されることにより前記挿入用部材が回転する方向とは逆の方向に前記挿入用部材を付勢する付勢手段を更に備えることを特徴とするコネクタ挿入機構。
【請求項７】
請求項１に記載のコネクタ挿入機構であって、
前記挿入用部材は、
前記基材に対して鉛直な面を有する鉛直部と、
前記鉛直部の前記基材から離れた側の辺において前記鉛直部と接続された傾斜部であって、前記受け側コネクタが搭載された前記基板が前記基材に接近するときに前記挿入側コネクタを押すことにより前記受け側コネクタに前記挿入側コネクタを挿入する傾斜部と、
を備えることを特徴とするコネクタ挿入機構。
【請求項８】
請求項７に記載のコネクタ挿入機構であって、
前記傾斜部は、前記基材に対して前記基板が前記基材に対する鉛直軸に沿って前記基材に近づく場合に、前記基板の端部と前記傾斜部との間の距離が少なくなるような傾斜を有することを特徴とするコネクタ挿入機構。
【請求項９】
請求項７又は８に記載のコネクタ挿入機構であって、
前記傾斜部と前記鉛直部の境界に突起部が設けられていることを特徴とするコネクタ挿入機構。
【請求項１０】
請求項９に記載のコネクタ挿入機構であって、
前記突起部は、該突起部が設けられていない場合と比較し、前記基板を前記基材に近づけるために必要な力が少なくなるように設けられていることを特徴とするコネクタ挿入機構。
【請求項１１】
請求項７乃至１０の何れか１項に記載のコネクタ挿入機構であって、
到達位置まで到達した前記基板が、前記基板から離れないようにする規制手段を備えることを特徴とするコネクタ挿入機構。
【発明の詳細な説明】
【技術分野】
【０００１】
本発明は、受け側コネクタに挿入側コネクタを挿入するためのコネクタ挿入機構に関する。
【背景技術】
【０００２】
電子回路基板に搭載された電子回路は、その電子回路基板にない電子回路や端子にコネクタを介して接続される。コネクタは、基板に搭載された受け側コネクタとそれに挿入される挿入側コネクタの対により構成される。受け側コネクタは、電子回路基板に搭載された電子回路に接続される。挿入側コネクタは、１本以上のケーブルの一端に接続される。そのケーブルの他端は、他の電子回路や端子に接続される。
【０００３】
挿入側コネクタは、受け側コネクタに対して抜き差しすることが可能である。最初の製造時においては、挿入側コネクタは、受け側コネクタに挿入される。挿入されたままの状態で工場出荷されるが、特に必要のない限り挿入側コネクタは受け側コネクタから抜かれることはない。しかし、実地で稼働時に故障修理やメインテナンスなどのために挿入側コネクタが受け側コネクタから外され、故障修理やメインテナンスが終了したならば、挿入側コネクタは受け側コネクタに再度挿入される。
【先行技術文献】
【特許文献】
【０００４】
【特許文献１】特開２０１５−２０７３８９号公報
【発明の概要】
【発明が解決しようとする課題】
【０００５】
従って、挿入側コネクタのピンなどの電気的接触部が受け側コネクタのピン受け部などの電気的接触部に対して良好な接触状態で接触するように挿入側コネクタが、受け側コネクタに所定の深さまで挿入される必要がある。
【０００６】
しかし、組立工程において、必ずしも半挿入の状態で挿入側コネクタが受け側コネクタに挿入されることもありえる。
【０００７】
また、一旦、ある程度十分に受け側コネクタに挿入された挿入側コネクタが、工場から実地までの搬送時などにおける衝撃などのために、受け側コネクタから外れてしまったり、外れかけてしまったりすることもありえる。
【０００８】
更に、通常のコネクタを用いる場合には、基材に基板を取り付ける工程と受け側コネクタに挿入側コネクタを挿入する工程は別々であるので、全体としての工程数が増加してしまう。
【０００９】
なお、特許文献１には、一旦コネクタに差し込まれたＬ型プラグを回転させることにより、筐体に設けられたリブに当接するようにすることにより、Ｌ型プラグがコネクタに確実に挿入されるようにする構造が開示されているが、Ｌ型プラグをコネクタに一旦差し込む工程と意匠カバーを取り付ける工程とＬ型プラグを回転させる工程を含む３工程も必要になる。
【００１０】
そこで、本発明は、受け側コネクタの電気的接触部と挿入側コネクタの電気的接触部が確実に良好な接触状態で接触するように挿入側コネクタを受け側コネクタに挿入することができ、その状態を維持することができるコネクタ挿入機構を提供することを目的とする。
【００１１】
また、本発明は、基板を基材に搭載する工程と受け側コネクタに挿入側コネクタを挿入する工程を共通化することを可能とするコネクタ挿入機構を提供することを目的とする。
【課題を解決するための手段】
【００１２】
本発明によれば、
受け側コネクタが搭載された基板が基材に接近するときに挿入側コネクタを押すことにより前記受け側コネクタに前記挿入側コネクタを挿入する挿入用部材と、
少なくとも前記挿入側コネクタが前記挿入用部材により押されることにより前記受け側コネクタに挿入される時に前記基板が前記基材に接近する方向が前記受け側コネクタに対する前記挿入側コネクタの挿入方向のベクトル成分を持たないように前記基板を規制する規制手段と、
を備えることを特徴とするコネクタ挿入機構が提供される。
【発明の効果】
【００１３】
本発明によれば、受け側コネクタの電気的接触部と挿入側コネクタの電気的接触部が確実に良好な接触状態で接触するように挿入側コネクタを受け側コネクタに挿入することができ、その状態を維持することができる。
【００１４】
また、本発明によれば、基板を基材に搭載する工程と受け側コネクタに挿入側コネクタを挿入する工程を共通化することが可能となる。
【図面の簡単な説明】
【００１５】
【図１】（ａ）乃至（ｄ）は、本発明の第１の実施の形態によるコネクタ挿入機構及びその周辺部の構成並びにコネクタ挿入方法を示す正面図である。（ｅ）は、本発明の第１の実施の形態によるコネクタ挿入機構及びその周辺部を示す側面図である。
【図２】（ａ）乃至（ｄ）は、本発明の第２の実施の形態によるコネクタ挿入機構及びその周辺部の構成並びにコネクタ挿入方法を示す正面図である。
【図３】（ａ）乃至（ｄ）は、本発明の第３の実施の形態によるコネクタ挿入機構及びその周辺部の構成並びにコネクタ挿入方法を示す正面図である。（ｅ）は、本発明の第３の実施の形態によるコネクタ挿入機構及びその周辺部を示す平面図である。
【図４】（ａ）は、本発明の第４実施の形態によるコネクタ挿入機構及びその周辺部の構成並びにコネクタ挿入方法を示す平面図である。（ｂ）は、本発明の第４の実施の形態によるコネクタ挿入機構及びその周辺部を示す正面図である。
【図５】（ａ）は、本発明の第４実施の形態によるコネクタ挿入機構及びその周辺部の構成並びにコネクタ挿入方法を示す他の平面図である。（ｂ）は、本発明の第４の実施の形態によるコネクタ挿入機構及びその周辺部を示す他の正面図である。
【図６】（ａ）は、本発明の第５実施の形態によるコネクタ挿入機構及びその周辺部の構成並びにコネクタ挿入方法を示す平面図である。（ｂ）は、本発明の第５の実施の形態によるコネクタ挿入機構及びその周辺部を示す正面図である。
【図７】（ａ）は、本発明の第６実施の形態によるコネクタ挿入機構及びその周辺部の構成並びにコネクタ挿入方法を示す平面図である。（ｂ）は、本発明の第６の実施の形態によるコネクタ挿入機構及びその周辺部を示す正面図である。
【図８】（ａ）乃至（ｄ）は、本発明の第７の実施の形態によるコネクタ挿入機構及びその周辺部の構成並びにコネクタ挿入方法を示す正面図である。（ｅ）は、本発明の第７の実施の形態によるコネクタ挿入機構及びその周辺部を示す側面図である。（ｆ）は、本発明の第８の実施の形態によるコネクタ挿入機構及びその周辺部の構成並びにコネクタ挿入方法を示す正面図である。
【図９】（ａ）乃至（ｄ）は、本発明の第９の実施の形態によるコネクタ挿入機構及びその周辺部の構成並びにコネクタ挿入方法を示す正面図である。（ｅ）は、本発明の第９の実施の形態によるコネクタ挿入機構及びその周辺部を示す側面図である。（ｆ）は、本発明の第１０の実施の形態によるコネクタ挿入機構及びその周辺部の構成並びにコネクタ挿入方法を示す正面図である。
【図１０】本発明の第１１の実施の形態により示される回転軸のＸＹ平面における変更例を示す図である。
【図１１】本発明の第１２の実施の形態により示される回転軸のＹＺ平面における変更例を示す図である。
【図１２】（ａ）乃至（ｃ）は、本発明の第１３の実施の形態によるコネクタ挿入機構及びその周辺部の構成並びにコネクタ挿入方法を示す正面図である。（ｄ）は、本発明の第１３の実施の形態によるコネクタ挿入機構及びその周辺部を示す側面図である。
【図１３】（ａ）乃至（ｃ）は、本発明の第１４の実施の形態によるコネクタ挿入機構及びその周辺部の構成並びにコネクタ挿入方法を示す正面図である。（ｄ）は、本発明の第１３の実施の形態によるコネクタ挿入機構及びその周辺部を示す側面図である。（ｅ）は、本発明の第１４の実施の形態によるコネクタ挿入機構に含まれる補助部材を示す斜視図である。
【図１４】（ａ）は、本発明の第１５の実施の形態によるコネクタ挿入機構及びその周辺部の構成を示す正面図である。（ｂ）は、本発明の第１５の実施の形態による他のコネクタ挿入機構及びその周辺部の構成を示す正面図である。
【発明を実施するための形態】
【００１６】
以下、図面を参照して本発明を実施するための形態について詳細に説明する。
【００１７】
［第１の実施の形態］
図１（ａ）乃至図１（ｅ）は、第１の実施の形態による受け側コネクタに挿入側コネクタを挿入するためのコネクタ挿入機構及びその周辺部の構成及びコネクタ挿入方法を示す。
【００１８】
受け側コネクタ４０１は、基板３０１に搭載されている。
【００１９】
挿入側コネクタ４０３には、ケーブル４０５が接続されている。
【００２０】
挿入側コネクタ４０３を、矢印Ｂの方向に移動させることにより受け側コネクタ４０１に挿入させることができる。
【００２１】
図１には、基材２０１の一部しか示されていないが、例えば、複合機の本体の一部を構成する。基材２０１は、平板部２０１ａ、基板台座部２０１ｂ及びヒンジ台座部２０１ｃを備える。
【００２２】
基板台座部２０１ｂには、最終的には、図１（ｄ）に示すように、基板３０１が載置される。図１（ｅ）は、そのときにおける側面図を示す。
【００２３】
挿入用部材２０３は、受け部２０３ａ、挿入補助部２０３ｂ、延長部２０３ｃを備えるが、第１の実施の形態では、延長部２０３ｃはなくてもよい。
【００２４】
また、挿入用部材２０３は、ヒンジ台座部２０１ｃにヒンジ２０５により回転可能に接続されている。
【００２５】
次に、基材２０１に基板３０１を載置する過程において、受け側コネクタ４０１に挿入側コネクタ４０３を挿入する動作の説明をする。
【００２６】
最初は、図１（ａ）に示すように、基板３０１は、基材２０１から離れていて、挿入側コネクタ４０３は、受け側コネクタ４０１に挿入されていない。
【００２７】
次に、図示していないが、図１（ａ）に示すように、挿入用部材２０３が挿入側コネクタ４０３の受け側コネクタ４０１への抜き差しを妨害しない高さに基板３０１を基材２０１から離間した状態において、挿入側コネクタ４０３を受け側コネクタ４０１に或る程度挿入する。或る程度とは、図１（ｂ）に示すように、基板３０１の底部が挿入用部材２０３の受け部２０３ａに到達する基板３０１と基材２０１との離間距離において、挿入側コネクタ４０３の背面４０３ａ又は背面４０３ａの下辺４０３ｂが挿入補助部２０３ｂに当接する程度であるが、挿入側コネクタ４０３の背面が挿入補助部２０３ｂからある程度離間する程度であってもよい。これは、挿入用部材２０３の回転角度によっても異なるが、何かしらの手段（例えば、第７の実施形態又は第８の実施の形態で示す手段）により、挿入用部材２０３に所定の回転角度をつけておく。
【００２８】
上記のように、挿入側コネクタ４０３を受け側コネクタ３０１にある程度挿入したならば、基板３０１を基材２０１に近づける。
【００２９】
図１（ｂ）に示すように、基板３０１の底部が受け部２０３ａまで到達してからは、受け部２０３ａが基板３０１の底部に押される（矢印Ｃ）ことにより挿入用部材２０３は、図面でみて半時計方向（矢印Ｅ）に回転する。この回転により挿入補助部２０３ｂがほぼ左方（矢印Ｄ）に移動するが、これにより挿入側コネクタ４０３は左方（矢印Ｂ）に押される。
【００３０】
これから基板３０１が基材２０１に近づくにつれて、挿入側コネクタ４０３は、受け側コネクタ４０１に押し込まれる。
【００３１】
図１（ｃ）に示すように、基板台座部２０１ｂの高さは、挿入補助部２０３ｂが基板３０１の右端に到達したときに、基板台座部２０１ｂが基板３０１を支えるように調整されている。
【００３２】
図１（ｃ）の状態になったならば、ピン２５１により基板３０１が基板台座部２０１ｂから浮かないようにする。
【００３３】
［第２の実施の形態］
図２（ａ）乃至図２（ｄ）は、第２の実施の形態による受け側コネクタに挿入側コネクタを挿入するためのコネクタ挿入機構及びその周辺部の構成及びコネクタ挿入方法を示す。
【００３４】
第２の実施の形態は、第１の実施の形態と比較して、基板台座部２０１ｂにピン５０１が設置され、基板３０１にピン穴５０３が設けられている点が異なる。
【００３５】
本実施の形態では、ピン穴５０３にピン５０１が挿入されるように基板３０１の位置を調整してから、挿入状態を維持しつつ基板３０１を基材２０１に近づける。
【００３６】
これにより図２（ａ）に示す座標軸でみて、Ｘ方向及びＹ方向の基板２０１の位置を基材２０１に対して固定することができるので、挿入側コネクタ４０３を受け側コネクタ４０１に挿入する際に、基板２０１が基材２０１に対して相対的にＸ方向に移動してしまうことを回避することができる。従って、受け側コネクタ４０１に挿入側コネクタ４０３を確実に挿入することができる。
【００３７】
［第３の実施の形態］
図３（ａ）乃至図３（ｅ）は、第３の実施の形態による受け側コネクタに挿入側コネクタを挿入するためのコネクタ挿入機構及びその周辺部の構成及びコネクタ挿入方法を示す。
【００３８】
第３の実施の形態は、第１の実施の形態と比較して、奥側規制部５１１及び手前側規制部５１３が設けられている点が異なる。
【００３９】
奥側規制部５１１は、受け側コネクタ４０１に挿入側コネクタ４０３を挿入する方向（矢印Ｂ）でみて基板３０１の奥側の端面と向かい合う奥側対向面５１１ａを有する。奥側対向面５１１ａは、基材２０１に対して鉛直であり、基板３０１の奥側の端面全体又はその一部が接触できるようになっている。
【００４０】
手前側規制部５１３は、受け側コネクタ４０１に挿入側コネクタ４０３を挿入する方向（矢印Ｂ）でみて基板３０１の手前側の端面と向かい合う手前側対向面５１３ａを有する。手前側対向面５１３ａは、基材２０１に対して鉛直であり、基板３０１の手前側の端面全体又はその一部が接触できるようになっている。
【００４１】
組み立て時の初期において、基板３０１を奥側対向面５１１ａと手前側対向面５１３ａとの間に基板３０１を落とし込むことにより、基板３０１は、奥側対向面５１１ａと手前側対向面５１３ａとに挟まれつつ基材２０１に近接するので、挿入側コネクタ４０３を受け側コネクタ４０１に挿入する際に、基板２０１が基材２０１に対して相対的にＸ方向に移動してしまうことを回避することができる。従って、受け側コネクタ４０１に挿入側コネクタ４０３を確実に挿入することができる。
【００４２】
［第４の実施の形態］
図４（ａ）、図４（ｂ）、図５（ａ）及び図５（ｂ）は、第４の実施の形態による受け側コネクタに挿入側コネクタを挿入するためのコネクタ挿入機構及びその周辺部の構成及びコネクタ挿入方法を示す。
【００４３】
第４の実施の形態は、第１の実施の形態と比較して、奥側規制部５２１及び側面側規制部５２３−１、５２３−２が設けられている点が異なる。また、基板３０１に側面側突出部３０１ａ−１、３０１ａ−２が設けられている点も異なる。
【００４４】
奥側規制部５２１により挿入側コネクタ４０３の挿入側コネクタ４０１に対する挿入方向（矢印Ｂ）でみた場合、奥側規制部５２１により基板３０１は奥側方向への移動が制限される。
【００４５】
また、挿入方向（矢印Ｂ）でみた場合、側面側突出部３０１ａ−１と、側面側規制部５２３−１に設けられた側面側突出部５２３ａ−１の係合と、側面側突出部３０１ａ−２と、側面側規制部５２３−２に設けられた側面側突出部５２３ａ−２の係合により、基板３０１は手前側方向への移動が制限される。
【００４６】
更に、挿入方向（矢印Ｂ）でみた場合、側面側規制部５２３−１と側面側規制部５２３−２により、基板３０１は左右方向への移動が制限される。
【００４７】
組み立て時の初期において、基板３０１を奥側対向面５２１に接触するように落とし込むことにより、基板３０１は、奥側対向面５２１ａに接触しつつ基材２０１に近接するので、挿入側コネクタ４０３を受け側コネクタ４０１に挿入する際に、基板３０１が基材２０１に対して相対的にＸ方向に移動してしまうことを回避することができる。従って、受け側コネクタ４０１に挿入側コネクタ４０３を確実に挿入することができる。
【００４８】
［第５の実施の形態］
図６（ａ）及び図６（ｂ）は、第５の実施の形態による受け側コネクタに挿入側コネクタを挿入するためのコネクタ挿入機構及びその周辺部の構成及びコネクタ挿入方法を示す。
【００４９】
本実施形態では、基板３０１の両側面に凸部３０１ａ−１、３０１ａ−２が設けられている。また、基板の両側面側に側面側規制部５３１−１、５３１−２が設けられている。
【００５０】
側面側規制部５３１−１、５３１−２には、凹部５３１ａ―１、５３１ａ−２が設けられている。
【００５１】
組み立て時においては、凸部３０１ａ−１が、凹部５３１ａ−１の内部に挿入され、凸部３０１ａ−２が、凹部５３１ａ−２の内部に挿入された状態が維持されつつ、基板３０１は基材２０１に近づく。従って、基板３０１が基材２０１に対して相対的にＸ方向に移動してしまうことを回避することができる。従って、受け側コネクタ４０１に挿入側コネクタ４０３を確実に挿入することができる。
【００５２】
［第６の実施の形態］
図７（ａ）及び図７（ｂ）は、第６の実施の形態による受け側コネクタに挿入側コネクタを挿入するためのコネクタ挿入機構及びその周辺部の構成及びコネクタ挿入方法を示す。
【００５３】
本実施形態では、基板３０１の両側面に凹部３０１ｂ−１、３０１ｂ−２が設けられている。また、基板の両側面側に側面側規制部５４１−１、５４１−２が設けられている。
【００５４】
側面側規制部５４１−１、５４１−２には、凸部５４１ａ―１、５４１ａ−２が設けられている。
【００５５】
組み立て時においては、凸部５４１ａ−１が、凹部３０１ｂ−１の内部に挿入され、凸部５４１ａ−２が、凹部３０１ｂ−２の内部に挿入された状態が維持されつつ、基板３０１は基材２０１に近づく。従って、基板３０１が基材２０１に対して相対的にＸ方向に移動してしまうことを回避することができる。従って、受け側コネクタ４０１に挿入側コネクタ４０３を確実に挿入することができる。
【００５６】
［第７の実施の形態］
図８（ａ）乃至図８（ｅ）は、第７の実施の形態による受け側コネクタに挿入側コネクタを挿入するためのコネクタ挿入機構及びその周辺部の構成及びコネクタ挿入方法を示す。
【００５７】
第７の実施の形態は、第１の実施の形態に対して、挿入用部材２０３の延長部２０３ｃに、錘２２１が取り付けられている点が異なる。
【００５８】
錘２２１により、図８（ａ）に示すように、挿入用部材２０３は、錘２２１により図面において右回転するように与勢されるが、錘２２１の下端が基材２０１に到達するので、傾いた角度を初期の回転角度として持つことができる。従って、他の道具などがなくても、上方から基板３０１を落とし込むことにより、図８（ａ）の状態から図８（ｂ）の状態まで遷移させることが可能になる。更に基板３０１を基材２０１に近づければ図８（ｃ）に示すように受け側コネクタ４０１に挿入側コネクタ４０３が挿入された状態になり、図８（ｄ）のように、ピン２５１により基板３０１が基板台座部２０１ｂから浮かないようにすることができる。
【００５９】
［第８の実施の形態］
第７の実施の形態では、錘２２１が基材２０１から抗力を受けることにより、図面における右回転の範囲が制限される。
【００６０】
これに対して、本実施の形態では、図８（ｆ）に示すように、挿入用部材２０３のストッパ部２０３ｄが基材２０１に設けたくさび部２０１ｇ抗力を受けることにより、図面における右回転の範囲が制限される。従って、本実施の形態では、錘２２１を小型にすることができる。
【００６１】
［第９の実施の形態］
図９（ａ）乃至図９（ｅ）は、第８の実施の形態による受け側コネクタに挿入側コネクタを挿入するためのコネクタ挿入機構及びその周辺部の構成及びコネクタ挿入方法を示す。
【００６２】
第９の実施の形態は、第１の実施の形態に対して、基板２０１と挿入用部材２０３の延長部２０３ｃの間にコイルバネ２６１が架けられている点が異なる。
【００６３】
挿入用部材２０３が図９（ａ）に示す程度に傾斜しているときに、コイルバネ２６１は、自然長近くの長さを有するので、コイルバネ２６１により、図９（ａ）に示すように、挿入用部材２０３は、傾いた角度を初期の回転角度として持つことができる。
【００６４】
従って、他の道具などがなくても、上方から基板３０１を落とし込むことにより、図９（ａ）の状態から図９（ｂ）の状態まで遷移させることが可能になる。なお、コイルバネ２６１は自然長よりも徐々に長くなるので、挿入用部材２０３の回転方向（図において左回転方向）とは逆方向に挿入用部材２０３を付勢することになるが、基板２１１を基材２０１に近づける際に問題とならない程度の付勢力に調整されている。
【００６５】
更に基板３０１を基材２０１に近づければ図９（ｃ）に示すように受け側コネクタ４０１に挿入側コネクタ４０３が挿入された状態になり、図９（ｄ）のように、ピン２５１により基板３０１が基板台座部２０１ｂから浮かないようにすることができる。
【００６６】
［第１０の実施の形態］
第９の実施の形態では、コイルバネ２６１を用いた。これの代わりに、図９（ｆ）に示すように、トーションバネ２６３を用いてもよい。トーションバネ２６３は、挿入用部材２０３が図９（ｆ）に示す角度の姿勢を持つときにバネ力がゼロになっている。
【００６７】
［第１１の実施の形態］
第１１の実施の形態は、挿入用部材２０３の回転軸のバリエーションに関するものである。
【００６８】
基板３０１の上面から見た場合、上記の実施の形態においては、回転軸は、図１０（ｂ）に示す通りであるがこの限りではない。すなわち、挿入用部材２０３が回転した時に、挿入用部材２０３が矢印Ｂで示す方向に挿入側コネクタ４０３を押すことができればよい。
【００６９】
図１０（ｄ）に示すように、回転軸が矢印Ｂと平行でない限り、挿入用部材２０３が回転した時に、挿入用部材２０３が矢印Ｂで示す方向に挿入側コネクタ４０３を押すことができるので、回転軸は、図１０（ｃ）に示すように傾斜していてもよい。
【００７０】
［第１２の実施の形態］
第１２の実施の形態も、挿入用部材２０３の回転軸のバリエーションに関するものである。
【００７１】
挿入側コネクタ４０３の受け側コネクタ４０１に対する挿入方向を正面から見た場合、上記の実施の形態においては、回転軸は、図１１（ｂ）に示す通りであるがこの限りではない。すなわち、基板３０１が基材２０１に近づいた時に、基板３０１により挿入用部材２０３が矢印Ａで示す方向により回転することができればよい。
【００７２】
図１１（ｄ）に示すように、回転軸が矢印Ａと平行でない限り、基板３０１が基材２０１に近づいた時に、基板３０１により挿入用部材２０３が矢印Ａで示す方向により回転することができるので、回転軸は、図１１（ｃ）に示すように傾斜していてもよい。
【００７３】
［第１３の実施の形態］
図１２（ａ）乃至図１２（ｄ）は、第１１の実施の形態による受け側コネクタに挿入側コネクタを挿入するためのコネクタ挿入機構及びその周辺部の構成及びコネクタ挿入方法を示す。
【００７４】
本実施の形態による挿入補助部材２８１は、傾斜部２８１ａ及び鉛直部２８１ｂを含む。
【００７５】
基材２０１の平板部２０１ａには、鉛直部２８１ｂが取り付けられる。鉛直部２０１ｂの側面２８３は、基板３０１の受け側コネクタ４０１が取り付けられる辺に対応した端面（図１２でみて右端面）の全部又は一部が当該側面２８３に接触したままの状態で、基板３０１が基材２０１に近づくような形状及び傾斜を有する。通常は、側面２８３は、平板部２０１ａに鉛直な平面である。
【００７６】
鉛直部２８１ａの平板部２０１ａ側の反対側の辺には、傾斜部２８１ａが接続される。傾斜部２８１ａの側面２８５は、基板３０１が基材２０１に対して鉛直方向に接近するときに、傾斜部２８１ａの側面２８５と挿入側コネクタ４０３の背面４０３ａ又は背面４０３ａの下辺４０３ｂの接触により押された挿入側コネクタ４０３が受け側コネクタ４０１に挿入されるような傾斜を持つ。
【００７７】
組み立て時においては、基板３０１が所定の離間距離まで基材２０１に近づくと、挿入側コネクタ４０３は、傾斜部２８１ａにより受け側コネクタ４０１に徐々に挿入されるようになる。
【００７８】
挿入側コネクタ４０３が延長部２０１ｂに押される程度まで基板３０１が基材２０１に近づいたならば、挿入側コネクタ４０３の受け側コネクタ４０１に対する挿入深さを維持したまま、更に、図１２（ｃ）に示す距離まで基板３０２は基材２０１に近づく。それから、図１２（ｃ）ピン２５１でピン止めすることにより、図１２（ｃ）の状態になる。
【００７９】
従って、組み立て時においては、挿入側コネクタ４０３は、傾斜部２８１ａにより受け側コネクタ４０１に挿入されるが、組み立てが完了したならば、鉛直部２８１ｂにより受け側コネクタ４０１から外れることが防止されることになる。
【００８０】
鉛直部２８８１ｂは、変形しない程度に硬くてもよいが、ある程度の弾性を持たせることにより図１２（ｃ）の状態において、挿入側コネクタ４０３に対して挿入方向の適度な力を与え続けることができるようになる。
【００８１】
なお、本実施の形態に、第２の実施の形態乃至第６の実施の形態による位置規制手段を適用することができる。
【００８２】
［第１４の実施の形態］
図１３（ａ）乃至図１３（ｄ）は、第１４の実施の形態による受け側コネクタに挿入側コネクタを挿入するためのコネクタ挿入機構及びその周辺部の構成及びコネクタ挿入方法を示す。
【００８３】
第１４の実施の形態は、第１１の実施の形態による挿入用補助部材２８１における傾斜部２８１ａと鉛直部２８１ｂとの境界辺に突起部２８１ｃを設けた点が異なる。
【００８４】
図１３（ｅ）に示すように、通常は、境界辺は直線状であるので、突起部２８１ｃもその境界辺を直線状に盛り上げるようなものである。
【００８５】
基板３０１を基材２０１に近づけるときに、基板３０１の受け側コネクタ４０１が取り付けられる辺に対応した端面３０１ａ（図１３でみて右端面）が突起部２８１ｃに当接するが、これらの間の組立時における摩擦力が、突起部２８１ｃが設けられていない第１２の実施の形態のような構成における組立時の端面３０１ａと鉛直部２０１ｂの間の摩擦力よりも少なくなるように、端面３０１ａの素材及び表面状態並びに突起部２８１ｃの素材及び表面状態が選択されたり調整されたりする。従って、組立時において、基板３０１を基材３０１に近づけるために必要な力が第１２の実施の形態よりも少なくなる。
【００８６】
また、基板３０１を基材２０１に更に近づけるときに、挿入側コネクタ４０３の背面４０３ａ又は背面４０３ａの下辺２０３ｂが突起部２８１ｃに当接するが、これらの間の組立時における摩擦力が、突起部２８１ｃが設けられていない第１３の実施形態のような構成における組立時の挿入側コネクタ４０３の背面４０３ａ又は背面４０３ａと鉛直部２０１ｂの間の摩擦力よりも少なくなるように、背面４０３ａ又は下辺４０３ｂの素材及び表面状態並びに突起部２８１ｃの素材及び表面状態が選択されたり調整されたりする。従って、組立時において、基板３０１を基材３０１に近づけるために必要な力が第１２の実施の形態よりも少なくなる。
【００８７】
鉛直部２８８１ｂは、変形しない程度に硬くてもよいが、ある程度の弾性を持たせることにより図１３（ｃ）の状態において、挿入側コネクタ４０３に対して挿入方向の力を与え続けることができる。
【００８８】
［第１５の実施の形態］
第１５の実施の形態の構成は第１２の実施の形態の構成と同様である。
【００８９】
但し、図１４（ａ）又は図１４（ｂ）に示すように、組み立て完了時に突起部２８１ｃが受け側コネクタ４０１の上面の直上又はそれよりも上に存在するように、鉛直部２８１ｂの高さを調整する。そして、鉛直部２８１ｂに、ある程度の弾性を持たせる。
【００９０】
こうすることにより、組み立て時においては、鉛直部２８１ｂが基板３０１に対して後ろに反るように湾曲し、この状態において、突起部２８１ｃが基板３０１の端面３０１ａ及び挿入側コネクタ４０３の背面４０３ａ又は下辺４０３ｂに接触するようにできる。
【００９１】
そして、組み立て完成時においては、鉛直部２８１ｂは、湾曲が解けて直立した状態となる。この状態においては、鉛直部２８１ｂにより挿入側コネクタ４０１が受け側コネクタ４０１から抜けることを防止することができる。特に、仮にピンが緩んで基板３０１が基材２０１から浮きかけても、受け側コネクタ４０１が突起部２８１ｃに突き当たり、それ以上基材２０１が浮くことを防止することができる。
【００９２】
更には、図１４（ａ）に示すように、組み立て完了時に突起部２８１ｃが受け側コネクタ４０１の上面の直上に存在するように、鉛直部２８１ｂの高さを調整すれば、ピン２５１により基板３０１を固定しなくてもよくなる。基板３０１を取り外す際には、何かしらの手段により、挿入用補助部材２８１の鉛直部２８１ｂを基板３０１に対して後ろに反るように湾曲させればよい。
【００９３】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【００９４】
本発明は、コネクタの挿入に利用することができる。
【符号の説明】
【００９５】
２０１  基材
２０３  補助部材
２０５  ヒンジ
３０１  基板
４０１  受け側コネクタ
４０３  挿入側コネクタ
４０５  ケーブル
【図１】
2020027727.tif 000003
【図２】
2020027727.tif 000004
【図３】
2020027727.tif 000005
【図４】
2020027727.tif 000006
【図５】
2020027727.tif 000007
【図６】
2020027727.tif 000008
【図７】
2020027727.tif 000009
【図８】
2020027727.tif 000010
【図９】
2020027727.tif 000011
【図１０】
2020027727.tif 000012
【図１１】
2020027727.tif 000013
【図１２】
2020027727.tif 000014
【図１３】
2020027727.tif 000015
【図１４】
2020027727.tif 000016